【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
端末装置との第１の無線ネットワークにおける接続と、前記端末装置の外部の装置である外部装置との第２の無線ネットワークにおける接続を並行して確立可能な通信装置であって、
前記外部装置と前記通信装置とを接続させ、前記端末装置と前記通信装置とを接続させる接続手段と、
前記外部装置と前記通信装置との接続と、前記端末装置と前記通信装置との接続が並行して確立されている状態で、前記外部装置と前記通信装置との接続が切断されたことに基づいて、前記外部装置を検索する第１検索処理を第１の周期で繰り返し、前記第１検索処理が前記第１の周期で繰り返されることにより前記外部装置が発見されなかったことに基づいて、前記外部装置を検索する第２検索処理を、前記第１の周期より長い第２の周期で繰り返す検索手段と、
を有することを特徴とする通信装置。
【請求項２】
前記検索手段は、前記第１検索処理を前記第１の周期で所定の回数繰り返し、
前記第１検索処理が前記所定の回数繰り返され、且つ前記第１検索処理により前記外部装置が発見されなかった場合、前記第２検索処理を前記第２の周期で実行することを特徴とする請求項１に記載の通信装置。
【請求項３】
前記第１の周期は、前記第１検索処理が繰り返される毎に長くなることを特徴とする請求項１又は２に記載の通信装置。
【請求項４】
前記第２の周期は、前記第２検索処理が繰り返される毎に長くなることを特徴とする請求項１乃至３のいずれか１項に記載の通信装置。
【請求項５】
前記検索手段は、前記外部装置に対して応答を要求する所定のパケットを送信することで、前記外部装置を検索することを特徴とする請求項１乃至４のいずれか１項に記載の通信装置。
【請求項６】
前記検索手段は、前記通信装置が使用可能な全てのチャネルを順に使用して前記外部装置を検索する処理を前記第２検索処理として前記第２の周期で繰り返すことを特徴とする請求項１乃至５のいずれか１項に記載の通信装置。
【請求項７】
前記外部装置と前記通信装置との接続と前記端末装置と前記通信装置との接続が並行して確立されている状態では、前記外部装置と前記通信装置との接続と前記端末装置と前記通信装置との接続の両方の接続において、前記通信装置が使用可能なチャネルのうち所定のチャネルが用いられることを特徴とする請求項１乃至６のいずれか１項に記載の通信装置。
【請求項８】
前記外部装置と前記通信装置との接続に用いられる前記所定のチャネルは、前記外部装置によって決定されることを特徴とする請求項７に記載の通信装置。
【請求項９】
前記第１検索処理は、前記所定のチャネルを用いて前記外部装置を検索する処理であることを特徴とする請求項７又は８に記載の通信装置。
【請求項１０】
前記第２検索処理は、前記所定のチャネル以外のチャネルを少なくとも用いて前記外部装置を検索する処理であることを特徴とする請求項７乃至９のいずれか１項に記載の通信装置。
【請求項１１】
前記検索手段は、前記所定のチャネル以外のチャネルを含む複数のチャネルを順に使用して前記外部装置を検索する処理を前記第２検索処理として前記第２の周期で繰り返し、前記検索手段は、前回の前記第２検索処理に使用したチャネル以外の複数のチャネルを使用して、前記第２検索処理を繰り返すことを特徴とする請求項７乃至１０のいずれか１項に記載の通信装置。
【請求項１２】
前記外部装置と前記通信装置との接続と、前記端末装置と前記通信装置との接続が並行して確立されていない状態で、前記外部装置と前記通信装置との接続が切断されたことに基づいて、前記外部装置を検索する第３検索処理を、前記第２の周期より小さい第３の周期で繰り返すことを特徴とする請求項１乃至１１のいずれか１項に記載の通信装置。
【請求項１３】
前記検索手段は、前記通信装置が使用可能な全てのチャネルを順に使用して前記外部装置を検索する処理を前記第３検索処理として前記第３の周期で繰り返すことを特徴とする請求項１２に記載の通信装置。
【請求項１４】
前記外部装置と前記通信装置との接続と前記端末装置と前記通信装置との接続が並行して確立されている状態では、前記外部装置と前記通信装置との接続と前記端末装置と前記通信装置との接続の両方の接続において、前記通信装置が使用可能なチャネルのうち所定のチャネルが用いられ、
前記第２検索処理は、前記所定のチャネル以外のチャネルを少なくとも用いて前記外部装置を検索する処理であることを特徴とする請求項１２又は１３に記載の通信装置。
【請求項１５】
前記検索手段により前記第１検索処理が実行される毎に、前記通信装置が前記端末装置と接続しているか否かを判定する第１判定手段を更に有し、
前記検索手段は、前記第１判定手段により、前記通信装置が前記端末装置と接続していると判定された場合、前記第１検索処理を実行し、前記第１判定手段により、前記通信装置が前記端末装置と接続していないと判定された場合、前記第３検索処理を実行することを特徴とする請求項１２乃至１４のいずれか１項に記載の通信装置。
【請求項１６】
前記検索手段により前記第２検索処理が実行される毎に、前記通信装置が前記端末装置と接続しているか否かを判定する第２判定手段を更に有し、
前記検索手段は、前記第２判定手段により、前記通信装置が前記端末装置と接続していると判定された場合、前記第２検索処理を実行し、前記第２判定手段により、前記通信装置が前記端末装置と接続していないと判定された場合、前記第３検索処理を実行することを特徴とする請求項１２乃至１５のいずれか１項に記載の通信装置。
【請求項１７】
前記第１の周期は、前記第３の周期より長いことを特徴とする請求項１２乃至１６のいずれか１項に記載の通信装置。
【請求項１８】
端末装置との第１の無線ネットワークにおける接続と、前記端末装置の外部の装置である外部装置との第２の無線ネットワークにおける接続を並行して確立可能な通信装置であって、
前記外部装置と前記通信装置とを接続させ、前記端末装置と前記通信装置とを接続させる接続手段と、
前記外部装置と前記通信装置との接続と、前記端末装置と前記通信装置との接続が並行して確立されている状態で、前記外部装置と前記通信装置との接続が切断されたことに基づいて、前記外部装置を検索する第１検索処理を第１の周期で繰り返し、前記外部装置と前記通信装置との接続と、前記端末装置と前記通信装置との接続が並行して確立されていない状態で、前記外部装置と前記通信装置との接続が切断されたことに基づいて、前記外部装置を検索する第２検索処理を、前記第１の周期より小さい第２の周期で繰り返す検索手段と、
を有することを特徴とする通信装置。
【請求項１９】
前記第１の周期は、前記第１検索処理が繰り返される毎に長くなることを特徴とする請求項１８に記載の通信装置。
【請求項２０】
前記第２の周期は、前記第２検索処理が繰り返される毎に長くなることを特徴とする請求項１８又は１９に記載の通信装置。
【請求項２１】
前記検索手段は、前記外部装置に対して応答を要求する所定のパケットを送信することで、前記外部装置を検索することを特徴とする請求項１８乃至２０のいずれか１項に記載の通信装置。
【請求項２２】
前記外部装置と前記通信装置との接続と前記端末装置と前記通信装置との接続が並行して確立されている状態では、前記外部装置と前記通信装置との接続と前記端末装置と前記通信装置との接続の両方の接続において、前記通信装置が使用可能なチャネルのうち所定のチャネルが用いられることを特徴とする請求項１８乃至２１のいずれか１項に記載の通信装置。
【請求項２３】
前記外部装置と前記通信装置との接続に用いられる前記所定のチャネルは、前記外部装置によって決定されることを特徴とする請求項２２に記載の通信装置。
【請求項２４】
前記第１検索処理は、前記所定のチャネル以外のチャネルを少なくとも用いて前記外部装置を検索する処理であることを特徴とする請求項２２又は２３に記載の通信装置。
【請求項２５】
前記第２検索処理は、前記所定のチャネル以外のチャネルを少なくとも用いて前記外部装置を検索する処理であることを特徴とする請求項２２乃至２４のいずれか１項に記載の通信装置。
【請求項２６】
前記検索手段は、前記所定のチャネル以外のチャネルを含む複数のチャネルを順に使用して前記外部装置を検索する処理を前記第１検索処理として前記第１の周期で繰り返し、前記検索手段は、前回の前記第１検索処理に使用したチャネル以外の複数のチャネルを使用して、前記第１検索処理を繰り返すことを特徴とする請求項２２乃至２５のいずれか１項に記載の通信装置。
【請求項２７】
前記検索手段により前記第１検索処理が実行される毎に、前記通信装置が前記端末装置と接続しているか否かを判定する第１判定手段を更に有し、
前記検索手段は、前記第１判定手段により、前記通信装置が前記端末装置と接続していると判定された場合、前記第１検索処理を実行し、前記第１判定手段により、前記通信装置が前記端末装置と接続していないと判定された場合、前記第２検索処理を実行することを特徴とする請求項１８乃至２６のいずれか１項に記載の通信装置。
【請求項２８】
前記検索手段は、前記外部装置と前記通信装置との接続と、前記端末装置と前記通信装置との接続が並行して確立されている状態で、前記外部装置と前記通信装置との接続が切断されたことに基づいて、前記外部装置を検索する第３検索処理を、前記第１の周期より小さい第３の周期で繰り返すことを特徴とする請求項１８乃至２７のいずれか１項に記載の通信装置。
【請求項２９】
前記検索手段は、前記第１検索処理を前記第３の周期で所定の回数繰り返し、
前記第３検索処理が前記所定の回数繰り返され、且つ前記第３検索処理により前記外部装置が発見されなかった場合、前記第１検索処理を前記第１の周期で実行することを特徴とする請求項２８に記載の通信装置。
【請求項３０】
前記検索手段により前記第３検索処理が実行される毎に、前記通信装置が前記端末装置と接続しているか否かを判定する第２判定手段を更に有し、
前記検索手段は、前記第２判定手段により、前記通信装置が前記端末装置と接続していると判定された場合、前記第３検索処理を実行し、前記第２判定手段により、前記通信装置が前記端末装置と接続していないと判定された場合、前記第２検索処理を実行することを特徴とする請求項２８又は２９に記載の通信装置。
【請求項３１】
前記第１の周期は、前記第３の周期より長いことを特徴とする請求項２８乃至３０のいずれか１項に記載の通信装置。
【請求項３２】
前記外部装置と前記通信装置との接続と前記端末装置と前記通信装置との接続が並行して確立されている状態では、前記外部装置と前記通信装置との接続と前記端末装置と前記通信装置との接続の両方の接続において、前記通信装置が使用可能なチャネルのうち所定のチャネルが用いられ、
前記第３検索処理は、前記所定のチャネルを用いて前記外部装置を検索する処理であることを特徴とする請求項２８乃至３１のいずれか１項に記載の通信装置。
【請求項３３】
前記検索手段は、前記通信装置が使用可能な全てのチャネルを順に使用して前記外部装置を検索する処理を前記第１検索処理及び前記第２検索処理として実行することを特徴とする請求項１８乃至３２のいずれか１項に記載の通信装置。
【請求項３４】
端末装置との第１の無線ネットワークにおける接続と、前記端末装置の外部の装置である外部装置との第２の無線ネットワークにおける接続を並行して確立可能な通信装置の制御方法であって、
前記外部装置と前記通信装置とを接続させ、前記端末装置と前記通信装置とを接続させる接続ステップと、
前記外部装置と前記通信装置との接続と記端末装置と前記通信装置との接続が並行して確立されている状態で、前記外部装置と前記通信装置との接続が切断されたことに基づいて、前記外部装置を検索する第１検索処理を第１の周期で繰り返し、前記第１検索処理が前記第１の周期で繰り返されることにより前記外部装置が発見されなかったことに基づいて、前記外部装置を検索する第２検索処理を、前記第１の周期より長い第２の周期で繰り返す検索ステップと、
を有することを特徴とする制御方法。
【請求項３５】
端末装置との第１の無線ネットワークにおける接続と、前記端末装置の外部の装置である外部装置との第２の無線ネットワークにおける接続を並行して確立可能な通信装置の制御方法であって、
前記外部装置と前記通信装置とを接続させ、前記端末装置と前記通信装置とを接続させる接続ステップと、
前記外部装置と前記通信装置との接続と、前記端末装置と前記通信装置との接続が並行して確立されている状態で、前記外部装置と前記通信装置との接続が切断されたことに基づいて、前記外部装置を検索する第１検索処理を第１の周期で繰り返し、前記外部装置と前記通信装置との接続と、前記端末装置と前記通信装置との接続が並行して確立されていない状態で、前記外部装置と前記通信装置との接続が切断されたことに基づいて、前記外部装置を検索する第２検索処理を、前記第１の周期より小さい第２の周期で繰り返す検索ステップと、
を有することを特徴とする制御方法。
【請求項３６】
端末装置との第１の無線ネットワークにおける接続と、前記端末装置の外部の装置である外部装置との第２の無線ネットワークにおける接続を並行して確立可能な通信装置に、前記外部装置と前記通信装置とを接続させ、
前記端末装置と前記通信装置とを接続させる接続ステップと、
前記外部装置と前記通信装置との接続と、前記端末装置と前記通信装置との接続が並行して確立されている状態で、前記外部装置と前記通信装置との接続が切断されたことに基づいて、前記外部装置を検索する第１検索処理を第１の周期で繰り返し、前記第１検索処理により前記外部装置が発見されなかったことに基づいて、前記外部装置を検索する第２検索処理を、前記第１の周期より長い第２の周期で繰り返す検索ステップと、
を実行させることを特徴とするプログラム。
【請求項３７】
端末装置との第１の無線ネットワークにおける接続と、前記端末装置の外部の装置である外部装置との第２の無線ネットワークにおける接続を並行して確立可能な通信装置に、前記外部装置と前記通信装置とを接続させ、
前記端末装置と前記通信装置とを接続させる接続ステップと、
前記外部装置と前記通信装置との接続と、前記端末装置と前記通信装置との接続が並行して確立されている状態で、前記外部装置と前記通信装置との接続が切断されたことに基づいて、前記外部装置を検索する第１検索処理を第１の周期で繰り返し、前記外部装置と前記通信装置との接続と、前記端末装置と前記通信装置との接続が並行して確立されていない状態で、前記外部装置と前記通信装置との接続が切断されたことに基づいて、前記外部装置を検索する第２検索処理を、前記第１の周期より小さい第２の周期で繰り返す検索ステップと、
を実行させることを特徴とするプログラム。
【手続補正２】
【補正対象書類名】明細書
【補正対象項目名】０００７
【補正方法】変更
【補正の内容】
【０００７】
上記課題を解決するため、本発明の通信装置は、端末装置との第１の無線ネットワークにおける接続と、前記端末装置の外部の装置である外部装置との第２の無線ネットワークにおける接続を並行して確立可能な通信装置であって、前記外部装置と前記通信装置とを接続させ、前記端末装置と前記通信装置とを接続させる接続手段と、前記外部装置と前記通信装置との接続と、前記端末装置と前記通信装置との接続が並行して確立されている状態で、前記外部装置と前記通信装置との接続が切断されたことに基づいて、前記外部装置を検索する第１検索処理を第１の周期で繰り返し、前記第１検索処理が前記第１の周期で繰り返されることにより前記外部装置が発見されなかったことに基づいて、前記外部装置を検索する第２検索処理を、前記第１の周期より長い第２の周期で繰り返す検索手段と、を有することを特徴とする。
【手続補正３】
【補正対象書類名】明細書
【補正対象項目名】０００８
【補正方法】変更
【補正の内容】
【０００８】
また、本発明の通信装置は、端末装置との第１の無線ネットワークにおける接続と、前記端末装置の外部の装置である外部装置との第２の無線ネットワークにおける接続を並行して確立可能な通信装置であって、前記外部装置と前記通信装置とを接続させ、前記端末装置と前記通信装置とを接続させる接続手段と、前記外部装置と前記通信装置との接続と、前記端末装置と前記通信装置との接続が並行して確立されている状態で、前記外部装置と前記通信装置との接続が切断されたことに基づいて、前記外部装置を検索する第１検索処理を第１の周期で繰り返し、前記外部装置と前記通信装置との接続と、前記端末装置と前記通信装置との接続が並行して確立されていない状態で、前記外部装置と前記通信装置との接続が切断されたことに基づいて、前記外部装置を検索する第２検索処理を、前記第１の周期より小さい第２の周期で繰り返す検索手段と、を有することを特徴とする。